(57)【要約】【課題】  簡易な構成および施工で、強固で安定したブロック積みの補強土壁またはコンクリート擁壁の実現。【解決手段】  左右および上下に積み重ねられる複数のコンクリートブロック２と、左右のコンクリートブロック２，２同士を連結する横チェーン３と、上下のコンクリートブロック２，２同士を連結する縦チェーン４と、コンクリートブロック２から後方へ延出して設けられる補強チェーン５とを備える。左右に隙間を空けてコンクリートブロック２は千鳥配置される。補強チェーン５は、一端部がコンクリートブロック２に連結され、他端部が盛土３５または切土地山５４に保持される。上下方向に各コンクリートブロック２に通される縦チェーン４は、最下段のコンクリートブロック２と最上段のコンクリートブロック２との間で緊張されて設けられる。【選択図】      図３
2006316462.tif 000002
【特許請求の範囲】
【請求項１】
左右および上下に積み重ねられる複数のコンクリートブロックと、
左右のコンクリートブロック同士を連結する横チェーンと、
上下のコンクリートブロック同士を連結する縦チェーンと
を備えることを特徴とするチェーンを用いたブロック積み擁壁。
【請求項２】
隣接する左右のコンクリートブロック間に隙間を空けて、前記コンクリートブロックは千鳥配置されており、
上下方向に各コンクリートブロックに通される前記縦チェーンは、最下段のコンクリートブロックまたはそれが載置されるコンクリート基礎と、最上段のコンクリートブロックとの間で緊張されて設けられる
ことを特徴とする請求項１に記載のチェーンを用いたブロック積み擁壁。
【請求項３】
一端部が前記コンクリートブロックに連結され、他端部が盛土または切土地山に保持される補強チェーンをさらに備える
ことを特徴とする請求項１または請求項２に記載のチェーンを用いたブロック積み擁壁。
【請求項４】
上方へ行くに従って後方へ傾斜するよう前記コンクリートブロックが積み上げられたもたれ式擁壁であって、
最上段またはそこから複数段の各コンクリートブロックにのみ、前記補強チェーンが設けられる
ことを特徴とする請求項３に記載のチェーンを用いたブロック積み擁壁。
【請求項５】
左右に並んだ複数のコンクリートブロックからの各補強チェーンが、切土地山にアンカーにて固定された共通の取付具に保持される
ことを特徴とする請求項３または請求項４に記載のチェーンを用いたブロック積み擁壁。
【請求項６】
左右および上下に積み重ねてブロック積み擁壁を構成するコンクリートブロックであって、
左右のコンクリートブロック同士を連結する横チェーンが通される挿通部、またはこの横チェーンのリンクへの係合部と、
上下のコンクリートブロック同士を連結する縦チェーンが通される挿通部、またはこの縦チェーンのリンクへの係合部とが、
個別にまたは共通的に設けられたことを特徴とするブロック積み擁壁用のコンクリートブロック。
【請求項７】
盛土または切土地山に保持される補強チェーンのリンクへの係合部が、前記横チェーンおよび／または前記縦チェーンの前記挿通部または前記係合部と、個別にまたは共通的に設けられた
ことを特徴とする請求項６に記載のブロック積み擁壁用のコンクリートブロック。
【発明の詳細な説明】
【技術分野】
【０００１】
本発明は、垂直または傾斜状の法面を形成し維持するための擁壁に関するものである。特に、コンクリートブロックを左右および上下に積み重ねて構成するブロック積み擁壁としての補強土壁またはコンクリート擁壁と、これに用いられるコンクリートブロックに関するものである。
【背景技術】
【０００２】
従来、たとえばテールアルメ工法や多数アンカー工法など、コンクリートパネルを壁面材に使用する補強土壁工法が知られている。ところが、壁面材の背面を形成する盛土は、転圧時に容易に変形し易いものであるのに対し、コンクリートパネルは、その面積が大きく剛性も高いので、微小な変位や変形が生じにくい。そのため、本来、盛土の変形に追従して壁面材が微小に変位することで土圧を軽減して擁壁全体を安定させるが、コンクリートパネルを用いたのでは十分な安定性が得られなかった。
【０００３】
このようなことから、コンクリートパネルよりも面積の小さいコンクリートブロックを壁面材に用いて、安定した補強土壁を得ることが行われている。その際、下記各特許文献に開示されるように、各種補強材を用いたブロック積み擁壁も提案されている。なお、下記において、括弧書きの符号は、各特許文献中における符号である。
【０００４】
下記特許文献１には、その図１に示されるように、壁面ブロック（１）に形成した定着溝（１ｄ）に、鉄筋や帯鋼からなる盛土補強材（３）のＬ字状またはＴ字状のフック（３ａ）が配置され、コンクリートまたはエポキシ樹脂などの固結材（６）を充填して、左右方向に隣接する複数の壁面ブロック（１）を連結することが開示されている。
【０００５】
下記特許文献２には、その図１に示されるように、上下方向に隣接する複数の擁壁ブロック（１）に縦連結棒（５ｂ）が連続して挿通され、この縦連結棒（５ｂ）に定着金具（６）を介して、鉄筋や帯鋼からなる盛土補強材（３）が連結される補強土構造物が開示されている。
【０００６】
さらに、下記特許文献３には、その図１に示されるように、上下に隣接する土留ブロック（２５，２６）間に、ジオグリッドと呼ばれる網シート状の補強体（２３）を挟み込んだ補強土構造体が開示されている。
【０００７】
【特許文献１】特開２００３−３２１８３９号公報
【特許文献２】特開２００３−３４７４号公報
【特許文献３】特開２００１−８１７８０号公報
【発明の開示】
【発明が解決しようとする課題】
【０００８】
コンクリートパネルの場合、通常一枚のパネルに複数の補強材が取り付けられ、一の補強材が受け持つ壁面材面積は、0.4ｍ２〜0.75ｍ２／本程度が一般的である。一方、コンクリートブロックの面積は、0.1ｍ２〜0.15ｍ２／枚程度と小さいため、すべてのコンクリートブロックに補強材を設けることは不経済であり、補強材が取り付けられないコンクリートブロックが存在した。ところが、昨今の各種震災後の調査によれば、補強土工法ではない一般的なコンクリートブロックの擁壁の場合、局部的な応力集中により、単独または複数個のコンクリートブロックが擁壁面から脱落している状況が報告されている。従って、でき得る限り、コンクリートブロック同士を相互に連結することが望ましい。
【０００９】
ところで、ブロック積み擁壁の施工に関しては、現場でコンクリートを打設してブロック同士をコンクリートで結合するか否かにより、練積み工法と空積み工法とに分けられる。練積み工法は、コンクリートブロックの中空部と背面にコンクリート（胴込めコンクリート，裏込めコンクリート）を打設することによって、コンクリートブロック同士を一体化するものである。この練積み工法は、ブロック相互をコンクリートで結合することによって、壁面の安定性の向上を図るものであり、一般的に行われている。しかも、コンクリートブロックの周囲に鉄筋を配置すれば、一体性はさらに高まり、耐震性の向上を図ることができる。ところが、この練積み工法では、ブロック相互の一体化による耐震性は得られても、個々のブロックが微小に変位して、壁面全体の安定性を得る効果は失われる。
【００１０】
一方、空積み工法では、この効果を得るために、コンクリートブロックの中空部と背面に、排水層を兼ねて砕石を充填している。この空積み工法では、排水に支障が生じないように、ブロック間はモルタル目地などを施さない空目地で施工され、その水平方向の隙間は２ｃｍ程度と大きく取るので、水平方向のブロック同士は連結されない。そして、垂直方向には、ブロック形状に凹凸を付けて連結する他、ブロックの中空部と背面に充填される砕石によるインターロッキング（かみ合わせ）効果により、ブロック相互の連結を図っている。ところが、この空積み工法では、排水作用によって、砕石内の小径の土は失われるなど、経時的に変化するため、そのインターロッキング効果は十分ではなかった。
【００１１】
ここで、前記特許文献１および特許文献２に記載の発明のように、鉄筋や帯鋼の補強材を用いても、地盤の変形によって補強材に曲げ応力やせん断力が生じ易かった。すなわち、盛土は、コンクリートブロックなどの壁面材に対して圧縮性が大きく、また基礎地盤の圧密も盛土の中央部が大きく、盛土の境界部（壁面付近）は小さくなるのが一般的である。そのため、補強材として鉄筋や帯鋼を用いた場合、これらは長手方向に一様な剛性を持つので、地盤の変形によって過剰な曲げ応力や、排水層と盛土層、または排水層と壁面材との境界で、盛土の変位量の相違によりせん断力を受けるものであった。
【００１２】
また、前記特許文献３に記載の発明のように、補強材としてジオグリッドを用いた場合、ジオグリッドは柔軟であり変位には追従し易いが、せん断する方向の力には抵抗力が低いため、次のような問題があった。すなわち、ブロックの内部や周囲に充填される砕石の破砕面により、砕石転圧時に損傷を受け易かった。また、長期的には排水作用により小径の土が失われ、砕石破砕面の損傷を受け易かった。さらに、ブロック間にジオグリッドを挟み込むので、盛土部の沈下により、挟み込まれるブロック間でせん断されるおそれがあった。
【００１３】
本発明が解決しようとする課題は、簡易な構成および施工で、強固で安定したブロック積みの補強土壁またはコンクリート擁壁を実現することにある。また、そのようなブロック積み擁壁に用いられるコンクリートブロックを提供することにある。
【課題を解決するための手段】
【００１４】
本発明は、前記課題を解決するためになされたもので、請求項１に記載の発明は、左右および上下に積み重ねられる複数のコンクリートブロックと、左右のコンクリートブロック同士を連結する横チェーンと、上下のコンクリートブロック同士を連結する縦チェーンとを備えることを特徴とするチェーンを用いたブロック積み擁壁である。
【００１５】
請求項１に記載の発明によれば、横チェーンと縦チェーンとがネット状に配置され、このチェーンネットでコンクリートブロック同士が連結される。従って、チェーンを用いて柔構造を維持しつつ、コンクリートブロック同士を連結して、強固で安定した擁壁を構成でき、耐震性能も向上することができる。
【００１６】
請求項２に記載の発明は、隣接する左右のコンクリートブロック間に隙間を空けて、前記コンクリートブロックは千鳥配置されており、上下方向に各コンクリートブロックに通される前記縦チェーンは、最下段のコンクリートブロックまたはそれが載置されるコンクリート基礎と、最上段のコンクリートブロックとの間で緊張されて設けられることを特徴とする請求項１に記載のチェーンを用いたブロック積み擁壁である。
【００１７】
請求項２に記載の発明によれば、コンクリートブロックは左右に隙間を空けて千鳥配置され、上下方向中途部の各コンクリートブロックには縦チェーンは通されるだけであり、最下段と最上段のコンクリートブロック間で縦チェーンを緩みなく設けた。これにより、簡易な構成および施工で、柔構造を維持しつつ、より強固で安定した擁壁を構成でき、耐震性能も向上することができる。
【００１８】
請求項３に記載の発明は、一端部が前記コンクリートブロックに連結され、他端部が盛土または切土地山に保持される補強チェーンをさらに備えることを特徴とする請求項１または請求項２に記載のチェーンを用いたブロック積み擁壁である。
【００１９】
請求項３に記載の発明によれば、補強材としてチェーンを用いることで、盛土の変形を吸収し易く、しかも地盤の変形によって生じる曲げによる耐力低下もない。そのため、より一層の柔構造擁壁として、安定性ひいては安全性を高めることができる。
【００２０】
請求項４に記載の発明は、上方へ行くに従って後方へ傾斜するよう前記コンクリートブロックが積み上げられたもたれ式擁壁であって、最上段またはそこから複数段の各コンクリートブロックにのみ、前記補強チェーンが設けられることを特徴とする請求項３に記載のチェーンを用いたブロック積み擁壁である。
【００２１】
請求項４に記載の発明によれば、切土部などにおけるもたれ式擁壁において、上方の一または複数段のコンクリートブロックにのみ補強チェーンを設けた。このような施工箇所は、元々地山が安定しているので、本来補強材を設ける必要はないと考えられているが、上段のコンクリートブロックだけでも補強材を設けることで、地震時の壁下端を中心とするロッキング運動を抑制して、耐震性を向上することができる。
【００２２】
請求項５に記載の発明は、左右に並んだ複数のコンクリートブロックからの各補強チェーンが、切土地山にアンカーにて固定された共通の取付具に保持されることを特徴とする請求項３または請求項４に記載のチェーンを用いたブロック積み擁壁である。
【００２３】
擁壁の背面が切土で補強チェーンの長さが十分に取れない場合には、切土地山にアンカーを施して補強チェーンと連結すればよいが、請求項５に記載の発明によれば、個々の補強チェーンごとにアンカーを設ける必要がなく、施工性がよい。
【００２４】
請求項６に記載の発明は、左右および上下に積み重ねてブロック積み擁壁を構成するコンクリートブロックであって、左右のコンクリートブロック同士を連結する横チェーンが通される挿通部、またはこの横チェーンのリンクへの係合部と、上下のコンクリートブロック同士を連結する縦チェーンが通される挿通部、またはこの縦チェーンのリンクへの係合部とが、個別にまたは共通的に設けられたことを特徴とするブロック積み擁壁用のコンクリートブロックである。
【００２５】
請求項６に記載の発明によれば、請求項１または請求項２に記載のブロック積み擁壁に用いられるコンクリートブロックを提供することができる。
【００２６】
さらに、請求項７に記載の発明は、盛土または切土地山に保持される補強チェーンのリンクへの係合部が、前記横チェーンおよび／または前記縦チェーンの前記挿通部または前記係合部と、個別にまたは共通的に設けられたことを特徴とする請求項６に記載のブロック積み擁壁用のコンクリートブロックである。
【００２７】
請求項７に記載の発明によれば、請求項３から請求項５までのいずれかに記載のブロック積み擁壁に用いられるコンクリートブロックを提供することができる。
【発明の効果】
【００２８】
本発明のチェーンを用いたブロック積み擁壁によれば、簡易な構成および施工で、強固で安定した補強土壁またはコンクリート擁壁を実現することができる。また、本発明によれば、そのようなブロック積み擁壁に用いられるコンクリートブロックを提供することができる。
【発明を実施するための最良の形態】
【００２９】
以下、本発明のチェーンを用いたブロック積み擁壁と、これに用いられるコンクリートブロックについて、実施例に基づき更に詳細に説明する。
【実施例１】
【００３０】
図１から図４は、本発明のブロック積み擁壁の実施例１を示す概略図であり、図１は正面図、図２は背面図、図３は側面視縦断面図、図４は一部を省略した背面側から見た斜視図である。本実施例の擁壁は、垂直な壁面を有する補強土壁である。なお、本実施例１においては、切込砕石などの裏込め材１は、コンクリートブロック２の背面側に充填されるだけでなく、コンクリートブロック２，２間の空間にも充填されるが、図３や図７〜９においては、後者の図示は省略している。
【００３１】
本実施例１のブロック積み擁壁は、左右および上下に並べられる多数のコンクリートブロック２，２…と、左右に並べられたコンクリートブロック２，２…同士を連結する複数の横チェーン３，３…と、上下に並べられたコンクリートブロック２，２…同士を連結する複数の縦チェーン４，４…と、各コンクリートブロック２から後方へ延出して設けられる補強チェーン５，５…とを備える。
【００３２】
各コンクリートブロック２は、基本的には同一の形状および大きさのものが使用される。本実施例のコンクリートブロック２は、図４に示すように、平面視略Ｈ形状に形成されている。具体的には、壁面を形成する略矩形板状の前面材６と、この前面材６から後方へ離隔して前面材６と平行に配置される略矩形板状の後面材７と、これら前面材６と後面材７とを接続する略矩形板状のウェブ材８とが、コンクリートにて一体形成されている。
【００３３】
後面材７は、左右方向の幅寸法Ｖが、前面材の幅寸法Ｗよりも小さく形成されている。ウェブ材８は、前面材６および後面材７の各板面に対し垂直に配置され、前面材６および後面材７の幅方向中央部同士を接続する。これにより、前面材６および後面材７は、ウェブ材８から左右方向外側へ延出して配置され、全体として平面視略Ｈ形状とされる。なお、本実施例では、ウェブ材８からの後面材７の左右への延出長さは、ウェブ材８からの前面材６の左右への延出長さの約半分とされている。
【００３４】
ウェブ材８と前面材６または後面材７との接続部は、やや厚肉で円弧状に形成されている。前面材６、後面材７、およびウェブ材８は、同一高さ寸法に形成されており、コンクリートブロック２の上面および下面は、水平面に形成されている。但し、ウェブ材８の上面には、略矩形状の低い突部９が、上方へ突出して一体形成されている。平面視において、この突部９の大きさは、ウェブ材８とほぼ同一とされている。また、突部９の周囲は、テーパ状に面取りされている。
【００３５】
コンクリートブロック２の大きさは、特に問わないが、本実施例ではたとえば、前面材６の左右方向の幅寸法Ｗが４６０ｍｍ、後面材７の左右方向幅寸法Ｖが２８０ｍｍ、上下方向の高さ寸法Ｈが２４０ｍｍ（別途前記突部９の高さ１５ｍｍあり）、前後方向の奥行き寸法Ｄが３５０ｍｍとされている。
【００３６】
コンクリートブロック２には、横チェーン３、縦チェーン４、および補強チェーン５の各取付部が、個別にまたは共通的に設けられる。コンクリートブロック２に対する各チェーン３，４，５の取付箇所や取付構成は、特に問わず適宜変更可能であり、特にその取付構成は、チェーン３，４，５を単に通すだけの挿通部でもよいし、チェーン３，４，５のリンク１０への係合部でもよい。
【００３７】
本実施例のコンクリートブロック２には、前面材６の背面に、縦チェーン４が通される挿通部１１が形成され、後面材７の背面に、横チェーン３と補強チェーン５の各リンク１０への係合部１２が形成されている。具体的には、前面材６の背面には、ウェブ材８を挟んだ左右いずれか一方に、縦チェーン４が通される挿通部１１が設けられる。この挿通部１１は、チェーンリンク１０と同様の金属製円環体が水平に配置され、その半分がコンクリートブロック２内に埋設されて固定されている。これにより、前面材６の背面の上下方向中央部に、前記金属製円環体の残り半分が後方へ突出して設けられ、その穴に縦チェーン４が挿通可能とされる。
【００３８】
ところで、コンクリートブロック２は、隣接する左右のブロック２，２間に若干（本実施例では２０ｍｍ）の隙間を空けて、かつ隣接する上下のブロック２，２は左右に半分ずつ互い違いにずらされて千鳥配置される。そのため、前面材６の背面に設けられる前記挿通部１１は、隣接する上下のコンクリートブロック２，２同士で、ウェブ材８を挟んで左右交互に設けられる。あるいは、前面材６の背面には、ウェブ材８を挟んだ左右両方に前記挿通部１１を設けておき、そのいずれか一方を使用するようにしてもよい。
【００３９】
また、上述したようにコンクリートブロック２は千鳥配置されるので、コンクリートブロック２を左右および上下に並べて構築される壁の左右両端部においては、所望の寸法に切断された左右方向寸法の短いコンクリートブロック１３が使用される。
【００４０】
上下に並べられたコンクリートブロック２の各挿通部１１に通される縦チェーン４は、最下段と最上段の各コンクリートブロック２，２間で緊張して設けられる。図５は、最下段のコンクリートブロック２への縦チェーン４下端部の取付状態を示す図であり、（ａ）は一部を断面にした側面図、（ｂ）は後方から見た背面図、（ｃ）一部を断面にした平面図である。
【００４１】
上述したように、コンクリートブロック２の前面材６の背面には、略長円形状の金属製円環体が水平に配置され、その半分がコンクリートブロック内に埋設されており、残り半分が後方へ突出して、縦チェーン４の挿通部１１とされている。そして、図５に示すように、最下段のコンクリートブロック２の挿通部１１には、縦チェーン４の下端部が連結される。
【００４２】
具体的には、挿通部１１に係止されるクサビ材１４と、このクサビ材１４に保持されるネジ棒１５とにより、縦チェーン４の下端部のリンク１０が最下段のコンクリートブロック２に連結される。クサビ材１４は、上方へ行くに従って先細となるようなテーパ状の傾斜面を有すると共に、前面が垂直面１６に形成されている。クサビ材１４は、その横断面形状が、上端部は挿通部１１の内寸より小さく、下端部は挿通部１１の内寸よりも大きく形成されている。そして、前記垂直面１６をコンクリートブロック２の前面材６の背面に当接した状態で、下方から挿通部１１にはめ込まれる。
【００４３】
ネジ棒１５は、クサビ材１４を上下方向に貫通して配置され、下端部がボルト状のネジ部１７に形成されている。このネジ部１７には、下方からナット１８がねじ込まれて、クサビ材１４の底面に当接される。ネジ棒１５の上端部には、二枚の板材１９，１９が間隔を空けて平行に配置され、溶接にてネジ棒１５に固定されている。この板材１９，１９間に縦チェーン４の下端部のリンク１０が配置されて、ボルトナット２０により連結される。
【００４４】
このようにして、縦チェーン４は、下端部のリンク１０がネジ棒１５およびクサビ材１４を介して、最下段のコンクリートブロック２に係合され固定される。そして、このようにして下端部が固定された縦チェーン４は、上下方向中途に配置された各コンクリートブロック２，２…の挿通部１１を通された後、最上段のコンクリートブロック２に連結される。最上段のコンクリートブロック２への縦チェーン４の連結は、図５と上下対称形状に施工すればよい。
【００４５】
すなわち、最上段のコンクリートブロック２の挿通部１１には、上方からクサビ材１４がはめ込まれ、そのクサビ材１４にはネジ棒１５が通される。ネジ棒１５の下端部は、縦チェーン４の上端部のリンク１０に連結され、ネジ棒１５の上端部はクサビ材１４を介してナット１８で締められる。これにより、最下段と最上段の各コンクリートブロック２，２間で、縦チェーン４を緊張することができる。
【００４６】
図６は、コンクリートブロック２の後面材７の背面部を示し、コンクリートブロック２への横チェーン３と補強チェーン５との取付状態を示す概略図であり、（ａ）は側面図、（ｂ）は平面図であり、それぞれ一部を断面にして示している。この図に示すように、本実施例では、コンクリートブロック２の後面材７の中央部には、細長い略矩形状の二枚の取付板２１，２１が、上下に離隔して平行に配置されると共に、後方へ延出して設けられている。各取付板２１は、基端部がコンクリートブロック２内に埋設されており、コンクリートブロック２に固定されている。取付板２１，２１間の離隔距離は、横チェーン３や補強チェーン５のリンク１０の厚さよりも大きい。
【００４７】
上下に離隔して平行に配置された取付板２１，２１間には、上下方向に二本のボルト２２，２３が通される。これら各ボルト２２，２３には、横チェーン３または補強チェーン５のリンク１０が通され、ボルト２２，２３の先端部にねじ込まれるナット２４，２５により保持される。コンクリートブロック２側に配置される第一ボルトナット２２，２４には、横チェーン３のリンク１０が保持される。また、第一ボルトナット２２，２４よりも後方に配置される第二ボルトナット２３，２５には、補強チェーン５のリンク１０が保持される。
【００４８】
横チェーン３、縦チェーン４、および補強チェーン５は、それぞれ異なる構成のチェーンを用いてもよいが、本実施例では、同じ形状および大きさのリンク１０を用いて構成される。これら各チェーン３，４，５は、周知のとおり、環状のリンク１０同士が互いに連結されてなる。各リンク１０は、上述したとおり同一の形状および大きさとされ、略半円形状の湾曲部同士が直線状部にて連設されてなる略長円形状である。
【００４９】
そして、縦チェーン４は、前記挿通部１１に通され、横チェーン３は、そのリンク１０に前記第一ボルトナット２２，２４が係合され、補強チェーン５は、その一端部のリンク１０に前記第二ボルトナット２３，２５が係合される。なお、千鳥配置された各コンクリートブロック２の係合部１２に、横チェーン３のいずれかのリンク１０が係合可能に配置されるように、コンクリートブロック２および横チェーン３などは寸法設定されている。
【００５０】
ところで、図４に示すように、補強チェーン５の他端部は、支圧板２６に係合され、この支圧板２６は、支圧ピン２７により盛土に固定される。支圧板２６は、その構成を特に問わないが、本実施例では水平板部２８と垂直板部２９とからなるＬ字形状材から構成される。水平板部２８には、補強チェーン５の他端部を挿通可能な略十字形状の挿通穴３０が形成されている。この略十字形状の挿通穴３０は、二つの細長い切欠溝が交差することで形成されるが、その一方の切欠溝は垂直板部２９の中途まで延びて、延出溝３１が形成されている。この延出溝３１は、前記挿通穴３０を通された補強チェーン５の他端部のリンク１０を、脱落不能に垂直板部２９へ移動可能とする。
【００５１】
従って、水平板部２８の下方から、補強チェーン５の他端部のリンク１０一つを丸々、略十字形状の挿通穴３０に通した後、そのリンク１０と隣接したリンク１０を延出溝３１に配置した状態で、補強チェーン５を垂直板部２９へ移動させることができる。垂直板部２９へ移動させた状態では、支圧板２６から補強チェーン５が脱落するおそれはない。
【００５２】
支圧板２６の水平板部２８には、前記挿通穴３０を挟んだ二箇所に、小穴３２，３２が形成されている。この小穴３２には、支圧ピン２７が差し込み可能とされる。本実施例の支圧ピン２７は、下向きコ字形状に屈曲された線材から構成される。従って、この支圧ピン２７の両端部を前記小穴３２に通して、盛土に打ち込むことで、支圧板２６ひいては補強チェーン５の他端部を固定することができる。
【００５３】
次に、本実施例のブロック積み擁壁の構築手順について説明する。図７から図９は、本実施例のブロック積み擁壁の構築方法を時系列に示す図である。本実施例のコンクリートブロック２を用いて補強土壁を構築するには、まず図７（ａ）に示すように、たとえば５０ｃｍ程、根入れ部分を掘削し、切込砕石などの基礎材３３を撒きならす。次に、同図（ｂ）に示すように、このように形成した基礎砕石３３上に、型枠を組み、そこにコンクリートを打設して、コンクリート基礎３４を作る。
【００５４】
コンクリートの硬化後、同図（ｃ）に示すように、コンクリート基礎３４上に、一段目のコンクリートブロック２を並べる。その際、隣接する左右のコンクリートブロック２，２間には、上述したように若干の隙間が空けられる。そして、同図（ｄ）に示すように、一層目の盛土材３５を巻き出し、水平に締め固める。その際、たとえば５０ｃｍ程度の隙間を、コンクリートブロック２の背面から空けた状態で、盛土層３５が設けられる。その後、コンクリートブロック２と前記盛土層３５との間の隙間に、切込砕石などからなる一層目の裏込め材１を巻き出し、締め固める。なお、一層目の盛土材３５や裏込め材１は、一段目のコンクリートブロック２の約半分の高さまで設けられ、横チェーン３への係合部１２などは露出している。
【００５５】
次に、図８（ｅ）に示すように、コンクリートブロック２に横チェーン３と縦チェーン４とを取り付ける。コンクリートブロック２への横チェーン３の取付けは、上述したように、横チェーン３のリンク１０に、コンクリートブロック２の第一ボルトナット２２，２４を係合すればよい（図６）。このようにして、たるみのない状態で水平に配置された横チェーン３により、左右に並べられた各コンクリートブロック２，２…は互いに連結される。また、最下段のコンクリートブロック２への縦チェーン４の下端部の取付けは、図５を用いて説明したように、クサビ材１４およびネジ棒１５を介して行われる。
【００５６】
次に、図８（ｆ）に示すように、各コンクリートブロック２に補強チェーン５を敷設する。この補強チェーン５は、一端部のリンク１０が、コンクリートブロック２の第二ボルトナット２３，２５に連結され（図６）、他端部のリンク１０が、支圧板２６を介して盛土層３５に固定される。支圧板２６の盛土層３５への固定には、下向きコ字形状の支圧ピン２７が使用されることは、上述したとおりである（図４）。
【００５７】
次に、図８（ｇ）に示すように、一段目のコンクリートブロック２の上面に、二段目のコンクリートブロック２を設置する。この際、図１および図２に示すように、一段目における各コンクリートブロック２，２間に、二段目のコンクリートブロック２が配置されるように、コンクリートブロック２，２…は千鳥配置される。また、二段目のコンクリートブロック２，２同士も、左右に若干の隙間を空けて配置される。
【００５８】
その後、図９（ｈ）に示すように、二層目の盛土材３５を巻き出し、水平に締め固める。その際、一層目の盛土材３５と同様に、コンクリートブロック２の背面から離隔して設けられる。そして、コンクリートブロック２と前記盛土層３５との間の隙間に、切込砕石などからなる裏込め材１を巻き出し、締め固める。この二層目の盛土材３５などは、二段目のコンクリートブロック２の約半分の高さまで設けられる。
【００５９】
その後、図９（ｉ）に示すように、二段目のコンクリートブロック２に横チェーン３と縦チェーン４とを取り付ける。二段目のコンクリートブロック２への横チェーン３の取付けは、一段目の場合と同様に行われる。一方、二段目のコンクリートブロック２への縦チェーン４の取付けは、その挿通部１１に縦チェーン４を通すだけでよい。そして、図９（ｊ）に示すように、二段目のコンクリートブロック２に補強チェーン５の一端部を連結し、後方へ緊張して水平に敷設した状態で、補強チェーン５の他端部を盛土材３５に支圧板２６を用いて固定する。
【００６０】
以後、同様に、コンクリートブロック２を積み重ね、盛土材３５と裏込め材１とを巻き出し締め固め、左右のコンクリートブロック２，２間は横チェーン３で連結し、上下のコンクリートブロック２には縦チェーン４が挿通部１１に通され、各コンクリートブロック２には後方へ向けて補強チェーン５が敷設されつつ、所望の高さまでコンクリートブロック２が積み重ねられる。そして、最上段のコンクリートブロック２には、縦チェーン４の上端部がクサビ材１４およびネジ棒１５を介して挿通部１１に連結され、ネジ棒１５に対しナット１８を締めることで、縦チェーン４が緊張状態とされる。最後に、最上段のコンクリートブロック２の上部には、天端コンクリート３６が設けられる（図３）。
【００６１】
このようにして、コンクリートブロック２による擁壁は、その背面に横チェーン３と縦チェーン４とがネット状に配置され、コンクリートブロック２，２…同士が強固に連結される。また、各コンクリートブロック２は、後方へ向けて敷設される補強チェーン５によっても、保持される。
【００６２】
本実施例の擁壁は、コンクリートブロック２と、その背面に配置される砕石からなる排水層１と、その後方に配置される一般の土砂による盛土層３５の三層から構成される。ここで、基礎地盤の圧密（沈下）は、一般的に盛土の中央部で大きく、壁面側へ近づくに従い小さくなる傾向があり、また圧縮性は土砂が最も大きい。従って、入念な施工を行っても経時的には盛土の変形は避けられず、各層の変形の違いによって補強材に曲げを、各層の境界部にはせん断力が作用することになる。ところが、本実施例では、補強材としてチェーン５を用いたので、地盤の変形に追従し、曲げによる耐力低下を防止することができる。
【００６３】
ところで、コンクリートブロック２は、容易に曲線状に据え付けることができるのが一つの特徴であるが、地震には不安定となる場合がある。ところが、本実施例のように、コンクリートブロック２の背面に、横チェーン３と縦チェーン４とによるチェーンネットを設ければ、擁壁がはらみ出す現象を抑制することができる。また、壁面の大変形を抑制できるため、コンクリートブロック２の脱落なども防止できる。このように、横チェーン３と縦チェーン４とによるチェーンネットは、耐震効果を奏する。
【００６４】
その他、本実施例のブロック積み擁壁によれば、コンクリートブロック２，２…相互を連結するため、据え付け施工時にコンクリートブロック２を転落させる危険性がなく、事故防止を図ることができる。また、コンクリートの硬化を待つ必要がないので、連続してコンクリートブロック２の据え付け作業ができ、工期の短縮を図ることができる。しかも、経済的である。
【００６５】
また、縦チェーン４の上下両端部はコンクリートブロック２に連結されるが、この縦チェーン４は、ネジ棒１５に対しナット１８を締めるだけで容易に緊張できる。そして、縦チェーン４の張力は、最上段および最下段の各コンクリートブロック２，２において、クサビ材１４の傾斜面に対し直角方向に、金属製円環体からなる挿通部１１に伝達される。この力は、コンクリート面に直角な引張力と、コンクリート面に平行な偶力とに分割される。その内、偶力は金属製円環体からなる挿通部１１に曲げを与えるが、クサビ材１４の傾斜を緩やかにしておくことで、この挿通部１１に与える力のほとんどを引張力とすることができる。
【００６６】
次に、本実施例１のコンクリートブロック２とこれを用いたブロック積み擁壁の変形例について説明する。図１０は、実施例１のコンクリートブロック２の後面材７への、横チェーン３と補強チェーン５の取付方法の変形例１を示す図であり、（ａ）は一部を断面にした側面図、（ｂ）は一部を断面にした平面図である。
【００６７】
本変形例では、コンクリートブロック２の後面材７の中央部には、断面略矩形状の棒材３７が固定されている。この棒材３７は、約半分がコンクリートブロック２内に埋設されて固定され、残り半分が後方へ延出して設けられる。そして、この棒材３７の延出部には、前後に離隔して平行に、二本のボルト２２，２３が垂直に固定されている。各ボルト２２，２３は、上下方向に延出して配置され、先端部には押え板３８を介してナット２４，２５がねじ込み可能とされる。押え板３８は、略矩形の板材であり、前記ボルト２２，２３と対応して二つの貫通穴が形成されている。
【００６８】
本変形例の場合も、前方に配置される第一ボルト２２には、横チェーン３のリンク１０が通され、後方に配置される第二ボルト２３には、補強チェーン５のリンク１０が通される。そして、第一ボルト２２と第二ボルト２３とに、前記貫通穴を通して押え板３８を保持した後、各ボルト２２，２３の先端にナット２４，２５を締め込めばよい。但し、ナット２４，２５は、いずれか一方のボルト２２（または２３）にだけ設けるようにしてもよく、その場合は、ナット２４（または２５）が設けられない側のボルト２３（または２２）にはネジ部を設ける必要はなく、単なる棒材で足りる。
【００６９】
図１１は、実施例１のコンクリートブロック２の後面材７への、横チェーン３と補強チェーン５の取付方法の変形例２を示す図であり、（ａ）は一部を断面にした側面図、（ｂ）は一部を断面にした平面図である。本変形例では、前記実施例１における第一ボルトナット２２，２４と第二ボルトナット２３，２５とが共通化されて、一本のボルトナット３９，４０により構成される。すなわち、コンクリートブロック２の後面材７から突出する二枚の取付板２１，２１には、一本のボルト３９が架け渡されており、そのボルト３９の先端部には取付板２１の外側からナット４０がねじ込み可能とされる。本変形例の場合、取付板２１，２１間において、前記ボルト３９に、横チェーン３のいずれかのリンク１０と、補強チェーン５の一端部のリンク１０とが通され、そのボルト３９の先端部にナット４０をねじ込めばよい。
【００７０】
図１２は、実施例１のコンクリートブロック２への各チェーン３，４，５の取付方法の変形例３を示す図であり、（ａ）は一部を断面にした側面図、（ｂ）は一部を断面にした背面図である。前記実施例１のコンクリートブロック２では、前面材６の背面に、縦チェーン４が通される挿通部１１を形成し、後面材７の背面に、横チェーン３と補強チェーン５の各リンク１０への係合部１２を形成したが、本変形例では、後面材７の背面中央部に、縦チェーン４および横チェーン３と補強チェーン５とを連結する構成とした。
【００７１】
具体的には、コンクリートブロック２には、後面材７の背面中央部にボルト４１が固定され、このボルト４１にフック金具４２が取り付けられる。前記ボルト４１は、約半分がコンクリートブロック２内に埋め込まれて固定されており、残り半分が後方へ延出しており、その延出部にネジ部４３が形成されている。一方、フック金具４２は、略矩形状の金属板であり、その一端部にナット４４が溶接されており、他端部にはフック状の係止溝４５が形成されている。
【００７２】
本変形例の場合、埋込ボルト４１に、縦チェーン４と横チェーン３の各リンク１０が通された後、そのネジ部４３にフック金具４２のナット４４がねじ込まれて固定される。そして、そのフック金具４２の係止溝４５に補強チェーン５のリンク１０が係合されて使用される。
【００７３】
図１３（ａ）は、実施例１のコンクリートブロック２への各チェーン３，４，５の取付方法の変形例４を示す図である。本変形例の場合、前記変形例３と同様に、横チェーン３と縦チェーン４と補強チェーン５とが、まとめて一箇所でコンクリートブロック２に連結される。具体的には、コンクリートブロック２の後面材７の背面には、チェーンリンクと同様の金属製円環体が水平に配置され、その半分がコンクリートブロック内に埋設されて固定され、残り半分が後方へ突出して、各チェーン３，４，５への係合部１２とされる。
【００７４】
そして、この係合部１２には、略Ｕ字形状材４６とその開放両端部間を架け渡すよう設けられるボルト４７とからなるシャックル４８により、各チェーン３，４，５がコンクリートブロック２に連結される。すなわち、略Ｕ字形状材４６には、上下の縦チェーン４，４の各リンク１０，１０と、補強チェーン５の一端部のリンク１０とが通されると共に、前記ボルト４７には、前記係合部１２の他、横チェーン３のリンク１０が通された状態で、そのボルト４７が略Ｕ字形状材４６の開放両端部に架け渡されて固定される。本変形例の場合、比較的短い縦チェーン４が使用され、上下のコンクリートブロック２，２間が順次連結される。
【００７５】
ところで、コンクリートブロック２に設けられる前記係合部１２は、図１３（ａ）では、リンク状の金属製円環体を用いたが、同図（ｂ）に示すように、コンクリートブロックに袋ナット４９を埋設し、その袋ナット４９にアイボルト５０をねじ込むようにしてもよい。この場合、アイボルト５０の頭部に形成した貫通穴に、シャックル４８のボルト４７が通される。また、同図（ｃ）に示すように、コンクリートブロック２に埋込ボルト４１を固定し、そのボルト４１にアイナット５１をねじ込むようにしてもよい。この場合、アイナット５１に形成した貫通穴に、シャックル４８のボルト４７が通される。
【実施例２】
【００７６】
図１４は、本発明のブロック積み擁壁の実施例２を示す概略側面図であり、一部を断面にして示している。本実施例２のコンクリートブロック２とそれを用いたブロック積み擁壁は、基本的には前記実施例１と同様の構成である。そこで、以下では、両者の異なる部分を中心に説明し、対応する箇所には同一の符号を付して説明する。
【００７７】
本実施例２の擁壁は、もたれ式擁壁である。すなわち、コンクリートブロック２，２…は、上方へ行くに従って後方へ傾斜するよう積み上げられる。そのために、コンクリート基礎３４の上面は、傾斜して形成されている。本実施例のブロック積み擁壁においても、実施例１と同様に、千鳥配置されたコンクリートブロック２，２間の空間や、コンクリートブロック２の背面には、切込砕石などの裏込め材１が充填される。
【００７８】
本実施例２では、コンクリートブロック２の背面に、補強チェーン５などの補強材は設けられないが、横チェーン３と縦チェーン４とによるチェーンネットが設けられる。そのために、コンクリートブロック２の後面材７の背面中央部には、ボルト４１が固定されている。このボルト４１は、略Ｌ字形状の棒材からなり、その略Ｌ字形状部がコンクリートブロック２に埋設されており、棒状のネジ部４３が後方へ延出して設けられる。
【００７９】
本実施例２では、前記ボルト４１に横チェーン３や縦チェーン４の各リンク１０が通された後、そのネジ部４３にナット５２がねじ込まれる。これにより、コンクリートブロック２，２…で構築された擁壁の背面に、横チェーン３と縦チェーン４とがそれぞれたるみのない状態で設けられる。横チェーン３と縦チェーン４とからなるチェーンネットにより、コンクリートブロック２，２間を連結することで、ブロック積み擁壁全体の一体性を高め、耐震性を向上することができる。
【００８０】
次に、本実施例２のコンクリートブロック２とこれを用いたブロック積み擁壁の変形例について説明する。図１５は、実施例２のブロック積み擁壁の変形例１を示す概略側面図であり、一部を断面にして示している。図示例では、盛土で施工した例を示しているが、切土部にも同様に適用可能である。
【００８１】
本変形例１では、最上段のコンクリートブロック２に設けたチェーン連結金具５３（図１１における取付板２１，２１およびボルトナット３９，４０に相当）に、前記実施例１と同様に、補強チェーン５の一端部のリンク１０を係合し、この補強チェーン５をたるみのないよう後方へ緊張し、他端部のリンク１０を支圧板２６により固定している。図示例では、最上段のコンクリートブロック２にのみ補強チェーン５を設けたが、それより下段の各コンクリートブロック２にも補強チェーン５を設けてもよい。たとえば、最上段およびそのすぐ下段の一または二程度のコンクリートブロック２にのみ補強チェーン５を設けてもよい。
【００８２】
本変形例のように、擁壁上端から下方約５０ｃｍの位置に補強チェーン５を設置することで、地震時における壁下端を中心とするロッキング運動を抑制することができる。なお、本実施例では、この補強チェーン５の設置は、断面的に上端の一箇所とし、水平方向には約５０ｃｍのピッチに敷設しているが、これらは適宜に変更可能である。
【００８３】
図１６は、実施例２のブロック積み擁壁の変形例２を示す概略側面図であり、一部を断面にして示している。本変形例では、切土部５４に施工した例を示している。本変形例は、壁の背面が切土で、補強チェーン５の長さが十分にとれない場合に用いられる。すなわち、切土地山５４にアンカー５５を施し、そのアンカー５５に補強チェーン５のリンク１０を連結するのである。これにより、地震時のロッキング運動を抑制することができる。
【００８４】
図１７は、アンカー５５と補強チェーン５との連結状態を示す概略斜視図である。この図に示すように、切土地山５４（図１７では不図示）には、アンカー５５が打ち込まれて固定される。このアンカー５５の端部は、地山表面に設けられる台座コンクリート５６を介して、切土地山５４から突出している。台座コンクリート５６から突出するアンカー５５の端部は、ネジ部５７とされており、略Ｌ字形状の取付具５８の一片５９が通されて、ナット６０にて台座コンクリート５６に固定される。そして、この取付具５８の他片６１に、補強チェーン５の他端部のリンク１０が、シャックル４８を介して連結される。
【００８５】
図１７では、補強チェーン５ごとにアンカー５５を設置する例を示したが、複数の補強チェーン５，５…でアンカー５５を共通化してもよい。図１８は、二本のアンカー５５，５５で切土地山５４に固定した取付具５８に、四本の補強チェーン５，５…を連結する構成を示す図であり、（ａ）は正面図、（ｂ）はＸ−Ｘ断面図である。この変形例では、取付具５８は、略Ｌ字形状断面の細長い山形鋼からなり、その一片５９の左右両端部が台座コンクリート５６を介して、切土地山５４のアンカー５５に固定される。そして、その他片６１には、複数個（図示例では四つ）の貫通穴が等間隔に形成されており、各貫通穴にシャックル４８を介して補強チェーン５が連結される。
【００８６】
図１９は、アンカー５５への補強チェーン５の取付構造の変形例を示す図であり、（ａ）は正面図、（ｂ）はＹ−Ｙ断面図、（ｃ）はＺ−Ｚ断面図である。この変形例でも、図１８の実施例と同様に、左右二本のアンカー５５，５５で固定された取付具５８に、四本の補強チェーン５が連結される。本変形例の取付具５８は、略矩形状の細長い帯鋼からなり、その左右両端部がアンカー５５にナット６０により固定される。本変形例では、その左右のアンカー５５，５５間には、取付ボルト６２，６２が固定される。これにより、アンカー５５のネジ部５７と、取付ボルト６２とが、等間隔に平行に並んだ状態とされる。
【００８７】
本変形例では、補強チェーン５の他端部のリンク１０に、シャックル４８を介してアイナット６３が固定可能とされ、このアイナット６３をアンカー５５のネジ部５７、または取付ボルト６２に、ねじ込んで固定される。本変形例では、一のアンカー５５に複数の補強チェーン５を対応させたが、一のアンカー５５に一の補強チェーン５を取り付けてもよい。この場合、アンカー５５のネジ部５７に、補強チェーン５のアイナット６３をねじ込めばよい。
【００８８】
図２０は、アンカー５５への補強チェーン５の取付構造の更に別の変形例を示す斜視図である。この例では、アンカー５５のネジ部５７に、板状のフック材６４がナット６０で固定されており、このフック材６４に形成したフック状の係止溝６５に、補強チェーン５のリンク１０が係合される。
【００８９】
図２１は、アンカー５５への補強チェーン５の取付構造の更に別の変形例を示す斜視図である。この例では、アンカー５５のネジ部５７に、略Ｌ字形状材６６の一片６７がナット６０で固定されており、その他片６８には略十字形状溝６９が形成されている。従って、前記実施例１の支圧板２６と同様に、その略十字形状溝６９に補強チェーン５のリンク１０を係合することができる。本変形例の場合も、アンカー５５に直接に、補強チェーン５を取り付けることができる。
【００９０】
図２２は、アンカー５５への補強チェーン５の取付構造の更に別の変形例を示す斜視図である。この例では、アンカー５５のネジ部５７に、略Ｌ字形状材６６の一片６７がナット６０で固定され、その他片６８に形成したフック状の係止溝６５に、補強チェーン５のリンク１０が係合される。同図（ａ）では、他片６８は水平に配置しているが、同図（ｂ）に示すように、他片６８を垂直に配置するよう構成してもよい。
【００９１】
図２３は、アンカー５５への補強チェーン５の取付構造の更に別の変形例を示す斜視図である。この例では、アンカー５５のネジ部５７に、フック７０付きのナット７１をねじ込んで、そのフック７０に補強チェーン５のリンク１０が引っ掛けられて係合される。
【実施例３】
【００９２】
図２４から図２６は、本発明のブロック積み擁壁の実施例３を示す概略側面図であり、一部を断面にして示している。本実施例３のコンクリートブロック２とそれを用いたブロック積み擁壁は、基本的には前記実施例２と同様の構成である。そこで、以下では、両者の異なる部分を中心に説明し、対応する箇所には同一の符号を付して説明する。なお、図２４の実施例が図１４の実施例に対応し、図２５の実施例が図１５の実施例に対応し、図２６の実施例が図１６の実施例に対応する。
【００９３】
本実施例３は、コンクリートブロックが間知ブロック７２とされている点で、実施例２と異なる。この間知ブロック７２は、従来公知のものであるが、その背面中央部には、前記実施例２と同様に、ボルト４１が突出して設けられており、このボルト４１に横チェーン３と縦チェーン４とが連結されて、壁の背面にチェーンネットが設けられる。
【００９４】
なお、図示例の場合、縦チェーン４の下端部は、コンクリート基礎３４の金具７３に連結されているが、前記実施例２と同様に、コンクリート基礎３４への連結は省略してもよい。逆に、前記実施例２などにおいて、本実施例３のように、縦チェーン４の下端部をコンクリート基礎３４に連結してもよい。
【００９５】
本実施例３では、前記各実施例のような空積み工法ではなく、練積み工法にて施工される。すなわち、間知ブロック７２間には、胴込めコンクリート７４が充填される。但し、その背面の裏込めコンクリートはない。また、本実施例では、所望の間隔で、壁には、水抜き穴７５が設けられる。
【００９６】
本発明のチェーンを用いたブロック積み擁壁と、これに用いられるコンクリートブロック２，７２は、上記各実施例の構成に限らず適宜変更可能である。特に、ブロック積み擁壁において、壁の背面に横チェーン３と縦チェーン４とからなるチェーンネットを設ける構成ならば、コンクリートブロック２の形状、大きさ、並べ方の他、コンクリートブロック２への各チェーン３，４，５の取付位置や取付方法などは、適宜に変更可能である。
【図面の簡単な説明】
【００９７】
【図１】本発明のブロック積み擁壁の実施例１を示す概略正面図である。
【図２】実施例１のブロック積み擁壁の概略背面図であり、一部を省略して示している。
【図３】実施例１のブロック積み擁壁の側面視の概略縦断面図である。
【図４】実施例１のブロック積み擁壁の主要部を示し、一部を省略した背面側から見た斜視図である。
【図５】実施例１のブロック積み擁壁において、最下段のコンクリートブロックへの縦チェーン下端部の取付状態を示す図であり、（ａ）は一部を断面にした側面図、（ｂ）は後方から見た背面図、（ｃ）一部を断面にした平面図である。
【図６】実施例１におけるコンクリートブロックの後面材の背面部を示し、コンクリートブロックへの横チェーンと補強チェーンとの取付状態を示す概略図であり、（ａ）は側面図、（ｂ）は平面図であり、それぞれ一部を断面にして示している。
【図７】実施例１のブロック積み擁壁の構築方法を時系列に示す説明図である。
【図８】図７の続きを示す図である。
【図９】図８の続きを示す図である。
【図１０】実施例１のコンクリートブロックの後面材への、横チェーンと補強チェーンの取付方法の変形例１を示す図であり、（ａ）は一部を断面にした側面図、（ｂ）は一部を断面にした平面図である。
【図１１】実施例１のコンクリートブロックの後面材への、横チェーンと補強チェーンの取付方法の変形例２を示す図であり、（ａ）は一部を断面にした側面図、（ｂ）は一部を断面にした平面図である。
【図１２】実施例１のコンクリートブロックへの各チェーンの取付方法の変形例３を示す図であり、（ａ）は一部を断面にした側面図、（ｂ）は一部を断面にした背面図である。
【図１３】実施例１のコンクリートブロックへの各チェーンの取付方法の変形例４を示す図である。
【図１４】本発明のブロック積み擁壁の実施例２を示す概略側面図であり、一部を断面にして示している。
【図１５】実施例２のブロック積み擁壁の変形例１を示す概略側面図であり、一部を断面にして示している。
【図１６】実施例２のブロック積み擁壁の変形例２を示す概略側面図であり、一部を断面にして示している。
【図１７】図１６におけるアンカーと補強チェーンとの連結状態を示す概略斜視図である。
【図１８】図１７の変形例を示す図であり、（ａ）は正面図、（ｂ）はＸ−Ｘ断面図である。
【図１９】図１８の変形例を示す図であり、（ａ）は正面図、（ｂ）はＹ−Ｙ断面図、（ｃ）はＺ−Ｚ断面図である。
【図２０】アンカーへの補強チェーンの取付構造の更に別の変形例を示す斜視図である。
【図２１】アンカーへの補強チェーンの取付構造の更に別の変形例を示す斜視図である。
【図２２】アンカーへの補強チェーンの取付構造の更に別の変形例を示す斜視図である。
【図２３】アンカーへの補強チェーンの取付構造の更に別の変形例を示す斜視図である。
【図２４】本発明のブロック積み擁壁の実施例３を示す概略側面図であり、一部を断面にして示している。
【図２５】実施例３のブロック積み擁壁の変形例１を示す概略側面図であり、一部を断面にして示している。
【図２６】実施例３のブロック積み擁壁の変形例２を示す概略側面図であり、一部を断面にして示している。
【符号の説明】
【００９８】
１  裏込め材（切込砕石など）
２  コンクリートブロック
３  横チェーン
４  縦チェーン
５  補強チェーン
１１  挿通部（金属製円環体）
１２  係合部
３４  コンクリート基礎
３５  盛土（盛土材，盛土層）
５４  切土地山（切土部）
５５  アンカー
５８  取付具
７２  間知ブロック（コンクリートブロック）
【図１】
2006316462.tif 000003
【図２】
2006316462.tif 000004
【図３】
2006316462.tif 000005
【図４】
2006316462.tif 000006
【図５】
2006316462.tif 000007
【図６】
2006316462.tif 000008
【図７】
2006316462.tif 000009
【図８】
2006316462.tif 000010
【図９】
2006316462.tif 000011
【図１０】
2006316462.tif 000012
【図１１】
2006316462.tif 000013
【図１２】
2006316462.tif 000014
【図１３】
2006316462.tif 000015
【図１４】
2006316462.tif 000016
【図１５】
2006316462.tif 000017
【図１６】
2006316462.tif 000018
【図１７】
2006316462.tif 000019
【図１８】
2006316462.tif 000020
【図１９】
2006316462.tif 000021
【図２０】
2006316462.tif 000022
【図２１】
2006316462.tif 000023
【図２２】
2006316462.tif 000024
【図２３】
2006316462.tif 000025
【図２４】
2006316462.tif 000026
【図２５】
2006316462.tif 000027
【図２６】
2006316462.tif 000028